(57)【要約】      （修正有）【課題】中通し浮きの貫通穴の内径を調整することができる浮き用穴調整部材を提供する。【解決手段】中通し浮き１０３の貫通穴１０４に対して着脱可能な浮き用穴調整部材１０であって、貫通穴に挿入される軸状部１１と、軸状部が貫通穴に挿入され過ぎないように規制するストッパ部１２と、を有し、軸状部は、貫通穴に挿入したときに貫通穴に連通して道糸１０１が移動可能に挿通される挿通穴１３を有することを特徴とする。【選択図】図３
0003234635.tif 000002
【実用新案登録請求の範囲】
【請求項１】
中通し浮きの貫通穴に対して着脱可能な浮き用穴調整部材であって、
前記貫通穴に挿入される軸状部と、
前記軸状部が前記貫通穴に挿入され過ぎないように規制するストッパ部と、を有し、
前記軸状部は、前記貫通穴に挿入したときに前記貫通穴に連通して道糸が移動可能に挿通される挿通穴を有することを特徴とする浮き用穴調整部材。
【請求項２】
前記挿通穴は、前記軸状部の軸方向に対して直交する方向に外部と連通可能に開放されており、
前記軸状部は、前記挿通穴の前記開放された部位を通して前記道糸を前記挿通穴に挿通可能であることを特徴とする請求項１に記載の浮き用穴調整部材。
【請求項３】
前記ストッパ部は、少なくとも一部が前記軸状部の外径よりも大きな外径を有する略円錐台形状であり、
前記挿通穴は、前記軸状部と前記ストッパ部とに亘って連続して形成されていることを特徴とする請求項１または２に記載の浮き用穴調整部材。
【考案の詳細な説明】
【技術分野】
【０００１】
本考案は、浮き用穴調整部材に関するものである。
【背景技術】
【０００２】
釣り用具として中通し浮きが知られている。特許文献１には、浮き本体の軸線方向に貫通した中通し穴を有する中通し浮きが開示されている。特許文献１の中通し浮きの中通し穴は、浮き本体内に固定された中通し管によって小径部と大径部とが形成されている。
【先行技術文献】
【特許文献】
【０００３】
【特許文献１】実用新案登録第３０７０５６１号公報
【考案の概要】
【考案が解決しようとする課題】
【０００４】
使用者が道糸の糸落ちを調整したいとき、糸落ちの速度を速くしたい場合には道糸と中通し穴の抵抗が小さくなるように中通し穴の内径が大きい方がよく、糸落ちの速度を遅くしたい場合には道糸と中通し穴の抵抗が大きくなるように中通し穴の内径が小さい方がよい。しかしながら、従来の中通し浮きは、特許文献１に開示されているように、浮き本体内に中通し管が一体に固定されているために、内径を調整することが困難である。したがって、使用者は中通し浮きで道糸の糸落ちを調整したい場合には、内径が異なる複数の中通し浮きを用意しなければならないという問題がある。
【０００５】
本考案は、上述したような問題点に鑑みてなされたものであり、中通し浮きの貫通穴の内径を調整することができる浮き用穴調整部材を提供することを目的とする。
【課題を解決するための手段】
【０００６】
本考案は、中通し浮きの貫通穴に対して着脱可能な浮き用穴調整部材であって、前記貫通穴に挿入される軸状部と、前記軸状部が前記貫通穴に挿入され過ぎないように規制するストッパ部と、を有し、前記軸状部は、前記貫通穴に挿入したときに前記貫通穴に連通して道糸が移動可能に挿通される挿通穴を有することを特徴とする。
【考案の効果】
【０００７】
本考案によれば、中通し浮きの貫通穴の内径を調整することができる。
【図面の簡単な説明】
【０００８】
【図１】浮き用穴調整部材を用いた釣り用仕掛けの一例を示す図である。
【図２】第１の実施形態の浮き用穴調整部材の構成の一例を示す図である。
【図３】浮き用穴調整部材の使用状態の一例を示す図である。
【図４】第２の実施形態の浮き用穴調整部材の構成の一例を示す図である。
【図５】釣り用浮きの貫通穴に浮き用穴調整部材を挿入した状態の一例を示す図である。
【考案を実施するための形態】
【０００９】
以下、本考案に係る実施形態の浮き用穴調整部材（以下、穴調整部材という）について図面を参照して説明する。
図１は、本実施形態に係る穴調整部材１０を用いた釣り用仕掛け（以下、仕掛けという）１００の一例を示す図である。
仕掛け１００は、道糸（釣り糸）１０１に浮き止め糸１０２を結び、道糸１０１を当り浮きとしての釣り用浮き（中通し浮き）１０３の貫通穴に挿通させて構成される。仕掛け１００は、いわゆる遊動仕掛けであり、釣り用浮き１０３が道糸１０１に沿って所定範囲で移動可能になっている。また、道糸１０１の先端には、いわゆるサルカン１０５を介してハリス１０６が結合する。ハリス１０６の先端には釣り針１０７が設けられると共に、その途中適所にガン玉１０８が付設される。
【００１０】
使用者は、釣り用浮き１０３の貫通穴の内径を調整したい場合、具体的には釣り用浮き１０３の貫通穴の内径を小さくしたい場合に、穴調整部材１０を釣り用浮き１０３の貫通穴に対して下側あるいは上側から挿入する。
【００１１】
（第１の実施形態）
図２は、第１の実施形態に係る穴調整部材１０の構成の一例を示す図である。具体的に、図２（ａ）は穴調整部材１０の平面図であり、図２（ｂ）は穴調整部材１０の正面図であり、図２（ｃ）は穴調整部材１０のＩ−Ｉ線断面図である。なお、図２（ｂ）および図２（ｃ）では説明を容易にするために上側を上、下側を下として図示している。
【００１２】
穴調整部材１０は、軸状部１１と、ストッパ部１２とを有する。穴調整部材１０は、ある程度の可撓性がある柔らかい材質で構成される。具体的には、穴調整部材１０は、ポリエチレン（ＰＥ）やポリプロピレン（ＰＰ）等の合成樹脂製である。また、穴調整部材１０は、軸状部１１とストッパ部１２とを一体で射出成形することで製造することができる。図２（ｂ）に示すように、軸状部１１とストッパ部１２とは上下に隣接して位置する。
【００１３】
軸状部１１は、釣り用浮き１０３の貫通穴に挿入される部位である。軸状部１１は、貫通穴に挿通する方向に沿った略軸状であって、より具体的には上下方向に沿って長い略円筒状である。軸状部１１の外周面は、釣り用浮き１０３の貫通穴に挿入したときに貫通穴の内周面と接する。また、図２（ｂ）に示すように、軸状部１１のうち径方向の外径をＤとすると、外径Ｄは釣り用浮き１０３の貫通穴に挿入する側（上側）からストッパ部１２側（下側）に向かうにしたがって徐々に大きくなる。すなわち、軸状部１１は上側に向かうしたがって外径Ｄが小さくなるようなテーパが施されている。したがって、使用者が穴調整部材１０の軸状部１１を釣り用浮き１０３の貫通穴に挿入する場合、軸状部１１の上端がガイドとなって釣り用浮き１０３の貫通穴内に容易に差し込むことができ、更に差し込むことで軸状部１１の下側の外周面が釣り用浮き１０３の貫通穴と密着して嵌合する。
【００１４】
ストッパ部１２は、軸状部１１が釣り用浮き１０３の貫通穴に挿入され過ぎないように規制する部位である。ストッパ部１２は、軸状部１１との境界位置で径方向に段状に膨出する段状部１２ａを有する。また、ストッパ部１２は、下側に向かうにしたがって縮径するような略円錐台形状である。ストッパ部１２は、軸状部１１の外径Ｄよりも大きく、更に釣り用浮き１０３の貫通穴の内径よりも大きい。したがって、軸状部１１を釣り用浮き１０３の貫通穴に挿入したとき、ストッパ部１２は貫通穴に挿入されずに貫通穴の開口縁に当接して、軸状部１１が釣り用浮き１０３の貫通穴に挿入され過ぎないように規制する。なお、ストッパ部１２が段状部１２ａを有することで、軸状部１１が釣り用浮き１０３の貫通穴に挿入された状態から引き抜くときに段状部１２ａに使用者の爪等を引っ掛け易くすることができる。
【００１５】
また、軸状部１１およびストッパ部１２は、内部に軸状部１１の軸方向に沿った挿通穴１３を有する。挿通穴１３は、軸状部１１とストッパ部とに亘って連続して形成される。挿通穴１３は、道糸が移動可能に挿通する部位である。図２（ｃ）に示すように、挿通穴１３の内径をｄとすると、内径ｄは、軸状部１１側の開口から軸状部１１とストッパ部１２との境界位置に向かうにしたがって徐々に小さくなり、境界位置からストッパ部１２側の開口まで略一定である。すなわち、挿通穴１３は軸状部１１の開口側に向かって内径ｄが大きくなるようなテーパが施されている。したがって、使用者は軸状部１１の開口側から道糸を挿通穴１３に容易に挿通させることができる。また、挿通穴１３の内径ｄが軸状部１１の開口からストッパ部１２の開口まで一定ではなくテーパを施して内径ｄが大きい部分を形成したことにより、道糸１０１と挿通穴１３との間の抵抗を小さくすることができるので糸落ちを妨げないようにすることができる。なお、挿通穴１３の内径ｄは、最も小さい箇所で略２ｍｍ以下である。
【００１６】
また、図２（ｃ）に示すように、軸状部１１の外周面のテーパの勾配角度αとし、挿通穴１３の内周面のテーパの勾配角度βとして両者を比較すると、勾配角度αは勾配角度βよりも小さい。ただし、勾配角度αは勾配角度βと略同一であってもよく、勾配角度βよりも大きくてもよい。
【００１７】
次に、穴調整部材１０を使用する使用方法の一例について図３を参照して説明する。
ここでは、使用者が釣り用浮き１０３を変更することなく糸落ちの速度を遅くしたいものとする。この場合、使用者は、釣り用浮き１０３の貫通穴１０４に道糸１０１を挿通し、更に釣り用浮き１０３とサルカン１０５との間に位置するように穴調整部材１０の挿通穴１３に道糸１０１を予め挿通させる。このとき、穴調整部材１０は、軸状部１１を釣り用浮き１０３側にし、ストッパ部１２をサルカン１０５側にした状態で挿通穴１３に道糸１０１を挿通させるようにして仕掛けを準備する。
次に、使用者は、穴調整部材１０の軸状部１１を釣り用浮き１０３の貫通穴１０４に下側から押し込むように挿入することで、穴調整部材１０を釣り用浮き１０３に装着する。
【００１８】
図３は、穴調整部材１０を釣り用浮き１０３の貫通穴１０４に挿入した状態を示す断面図である。穴調整部材１０は、ストッパ部１２が貫通穴１０４の開口縁に当接し、軸状部１１の外周面が釣り用浮き１０３の貫通穴１０４と嵌合するようにして、釣り用浮き１０３に装着される。この状態では、釣り用浮き１０３の貫通穴１０４と穴調整部材１０の挿通穴１３とが上下方向の直線上に沿って連通され、道糸１０１が貫通穴１０４と挿通穴１３とに移動可能に挿通される。
【００１９】
このように穴調整部材１０を釣り用浮き１０３に装着することで、釣り用浮き１０３の貫通穴１０４よりも小さい穴調整部材１０の挿通穴１３が釣り用浮き１０３の貫通穴１０４内に位置するために、実質的に釣り用浮き１０３の貫通穴１０４の内径を小さくすることができる。したがって、道糸１０１が貫通穴１０４よりも小さい挿通穴１３の内周面に接することで道糸１０１と挿通穴１３との間で抵抗が大きくなり、糸落ちの速度を遅くすることができる。
【００２０】
また、一般的には、浮き止め糸１０２が釣り用浮き１０３の貫通穴１０４をすり抜けないようにするために、釣り用浮き１０３と浮き止め糸１０２との間にはシモリ玉が取り付けられる。シモリ玉は、例えば球状であって貫通する穴を有する。シモリ玉は、穴の内径が浮き止め糸１０２よりも小さく、球の外径が釣り用浮き１０３の貫通穴１０４よりも大きい。したがって、釣り用浮き１０３と浮き止め糸１０２との間にシモリ玉を取り付けることで、浮き止め糸１０２はシモリ玉を介して釣り用浮き１０３の貫通穴１０４をすり抜けないように構成される。
【００２１】
一方、本実施形態のように穴調整部材１０を釣り用浮き１０３に装着することで、図３に示すように、浮き止め糸１０２が釣り用浮き１０３の貫通穴１０４の下側まで入り込むものの、穴調整部材１０の挿通穴１３の上側の開口付近と当接することで、道糸１０１の糸落ちを停止させることができる。したがって、穴調整部材１０を釣り用浮き１０３に装着することでシモリ玉を取り付ける必要がなく、仕掛けからシモリ玉を省略することができる。
また、図３に示すように、浮き止め糸１０２が釣り用浮き１０３の貫通穴１０４の下側まで入り込み、穴調整部材１０の挿通穴１３の上側の開口付近と当接して、道糸１０１の糸落ちが停止することにより、釣り用浮き１０３をいわゆるアンダーロック構造にすることができる。釣り用浮き１０３をアンダーロック構造にすることで、釣り用浮き１０３を水面上に安定した状態にすることができ、更にはアタリの感度を向上させることができる。また、穴調整部材１０は柔らかい材質であることから、浮き止め糸１０２が穴調整部材１０の挿通穴１３の上側の開口付近と当接するときにクッションとして機能させることができる。
【００２２】
逆に、使用者が、穴調整部材１０が装着された釣り用浮き１０３の糸落ちの速度を速くしたいとする。この場合、使用者は、穴調整部材１０のストッパ部１２の段状部１２ａに爪等を引っ掛けて、穴調整部材１０の軸状部１１を釣り用浮き１０３の貫通穴１０４から引き抜くことで、穴調整部材１０を釣り用浮き１０３から離脱させ、穴調整部材１０を仕掛けから取り外す。穴調整部材１０を取り外すことで、道糸１０１が挿通穴１３よりも大きい釣り用浮き１０３の貫通穴１０４の内周面だけに接することで、糸落ちの速度を速くすることができる。
【００２３】
なお、上述した穴調整部材１０の使用方法では、穴調整部材１０の軸状部１１を釣り用浮き１０３の貫通穴１０４に下側から挿入して装着する場合について説明したが、図３の二点鎖線で示すように、穴調整部材１０の軸状部１１を釣り用浮き１０３の貫通穴１０４に上側から挿入してもよい。この場合、使用者は、釣り用浮き１０３の貫通穴１０４に上側から挿入された状態の穴調整部材１０の挿通穴１３に道糸１０１を挿通することで、穴調整部材１０の貫通穴１０４にも道糸１０１を挿通させることができるので、仕掛けを容易に作成することができる。また、浮き止め糸１０２は釣り用浮き１０３の貫通穴１０４まで入り込まず、穴調整部材１０の挿通穴１３のストッパ部１２の開口付近と当接することで、穴調整部材１０を釣り用浮き１０３に下側から挿入する場合と同様、シモリ玉を省略することができる。
【００２４】
このように本実施形態の穴調整部材１０は、釣り用浮き１０３の貫通穴１０４に着脱可能であり、貫通穴１０４に挿入される軸状部１１を有する。また、軸状部１１は道糸１０１が移動可能に挿通される挿通穴１３を有する。したがって、穴調整部材１０を釣り用浮き１０３に装着することで、道糸１０１が貫通穴１０４よりも小さい挿通穴１３に沿って移動するために糸落ちの速度を遅くすることができる。一方、穴調整部材１０を釣り用浮き１０３から離脱させることで、道糸１０１が挿通穴１３よりも大きい貫通穴１０４に沿って移動するために糸落ちの速度を速くすることができる。このように、穴調整部材１０を釣り用浮き１０３に対して着脱させることで、実質的に釣り用浮き１０３の貫通穴１０４の内径を調整することができる。
また、穴調整部材１０を釣り用浮き１０３に装着することで、釣り用浮き１０３の貫通穴１０４の内径を小さくすることができるので、仕掛けからシモリ玉を省略することができる。
【００２５】
（第２の実施形態）
次に、第２の実施形態に係る穴調整部材２０について、第１の実施形態と異なる構成を中心に説明する。本実施形態の穴調整部材２０は、道糸１０１を予め挿通させたり、道糸１０１を切ったりすることなく、後から釣り用浮き１０３に装着可能である。
【００２６】
図４は、穴調整部材２０の構成の一例を示す図である。具体的に、図４（ａ）は穴調整部材２０の平面図であり、図４（ｂ）は穴調整部材２０の正面図であり、図４（ｃ）は穴調整部材２０のＩＩ−ＩＩ線断面図である。なお、図４（ｂ）および図４（ｃ）では説明を容易にするために上側を上、下側を下として図示している。
【００２７】
穴調整部材２０は、軸状部２１と、ストッパ部２２とを有する。
軸状部２１およびストッパ部２２は、内部に軸状部２１の軸方向に沿った挿通穴２３を有する。本実施形態の挿通穴２３は、軸状部２１の軸方向に対して直交する方向に外部と連通可能に開放された部位である割れ部２４を有する。割れ部２４は、穴調整部材２０の上端から下端まで亘っている。したがって、図４（ａ）に示すように穴調整部材２０を上下方向から見ると、挿通穴２３は軸状部２１およびストッパ部２２の外周面から穴調整部材２０の中心側に向かって掘り込まれたような溝状である。このように、挿通穴２３が溝状であることで、予め道糸１０１を挿通穴２３に挿通させなくても、後から道糸１０１を割れ部２４を通して挿通穴２３に挿通可能である。また、図４（ａ）に示すように、挿通穴２３の水平方向に沿った溝幅Ｗは、穴調整部材２０の中心側から割れ部２４側に向かうにしたがって広がっている。したがって、後から道糸１０１を割れ部２４を通して挿通穴２３に挿通するときに容易に挿通穴２３に道糸１０１を導くことができる。
【００２８】
次に、穴調整部材２０を使用する使用方法の一例について説明する。
ここでは、使用者が釣り用浮き１０３を変更することなく糸落ちの速度を遅くしたいものとする。この場合、使用者は、釣り用浮き１０３とサルカン１０５との間の位置で、釣り用浮き１０３の貫通穴１０４に予め挿通されている道糸１０１に対して穴調整部材２０を離して位置させる。次に、穴調整部材２０の割れ部２４を通して道糸１０１を挿通穴２３に挿通させる。このとき、穴調整部材２０は、軸状部２１を釣り用浮き１０３側にし、ストッパ部２２をサルカン１０５側にした状態で挿通穴２３に道糸１０１を挿通させる。
【００２９】
次に、使用者は、挿通穴２３に道糸１０１を挿通させた状態を維持したまま、穴調整部材２０の軸状部２１を釣り用浮き１０３の貫通穴１０４に下側から押し込むように挿入する。このとき、軸状部２１の外周面が釣り用浮き１０３の貫通穴１０４と密着して貫通穴１０４の内周面によって押圧されることで、挿通穴２３の割れ部２４が閉じるように軸状部２１およびストッパ部２２が変形する。
【００３０】
図５は、釣り用浮き１０３の貫通穴１０４に挿入した状態の穴調整部材２０の平面図である。軸状部２１を貫通穴１０４に挿入する前では挿通穴２３の溝幅Ｗは割れ部２４側に向かうにしたがって広がっていたが（図４（ａ）参照）、図５に示すように軸状部２１を貫通穴１０４に挿入した状態では挿通穴２３の溝幅Ｗが割れ部２４側に向かうにしたがって狭くなるように変形する。挿通穴２３が貫通穴１０４の内周面によって閉じられた空間を図５に示すようにドット状に着色しており、着色した領域内を道糸１０１が挿通する。ここで、穴調整部材２０の挿通穴２３のうち着色した領域は、釣り用浮き１０３の貫通穴１０４よりも小さい。より具体的には、穴調整部材２０の挿通穴２３のうち着色した領域の面積は、釣り用浮き１０３の貫通穴１０４の水平方向に沿った面積よりも小さい。
【００３１】
このように、使用者は、穴調整部材２０の挿通穴２３の割れ部２４が閉じるように軸状部２１およびストッパ部２２を変形させながら、穴調整部材２０の軸状部２１を釣り用浮き１０３の貫通穴１０４に下側から押し込むように挿入することで、穴調整部材２０を釣り用浮き１０３に装着する。したがって、道糸１０１を予め挿通させたり、道糸１０１を切ったりすることなく、後から穴調整部材２０を釣り用浮き１０３に装着することができる。
【００３２】
穴調整部材２０を釣り用浮き１０３に装着することで、釣り用浮き１０３の貫通穴１０４よりも小さい穴調整部材２０の挿通穴２３が釣り用浮き１０３の貫通穴１０４内に位置するために、実質的に釣り用浮き１０３の貫通穴１０４の内径を小さくすることができる。したがって、道糸１０１が貫通穴１０４よりも小さい挿通穴２３の内周面に接することで道糸１０１と挿通穴２３との間で抵抗が大きくなり、糸落ちの速度を遅くすることができる。
【００３３】
逆に、使用者が、穴調整部材２０が装着された釣り用浮き１０３の糸落ちの速度を速くしたいとする。この場合、使用者は、穴調整部材２０のストッパ部２２の段状部１２ａに爪等を引っ掛けて、穴調整部材２０の軸状部２１を釣り用浮き１０３の貫通穴１０４から引き抜くことで、穴調整部材２０を釣り用浮き１０３から離脱させる。次に、使用者は、挿通穴２３に挿通された道糸１０１を割れ部２４を通して穴調整部材２０から引き離すことで、穴調整部材２０を仕掛けから取り外すことができる。したがって、道糸１０１を切ることなく、穴調整部材２０を釣り用浮き１０３から取り外すことができる。穴調整部材２０を取り外すことで、道糸１０１が挿通穴２３よりも大きい釣り用浮き１０３の貫通穴１０４の内周面だけに接することで、糸落ちの速度を速くすることができる。
【００３４】
このように本実施形態の穴調整部材２０は、挿通穴２３が軸状部２１の軸方向に対して直交する方向に外部と連通可能に開放されている。軸状部２１は、挿通穴２３の開放された部位（割れ部２４）を通して道糸１０１を挿通穴２３に挿通可能であることから、道糸１０１を予め挿通させたり、道糸１０１を切ったりすることなく、後から穴調整部材２０を釣り用浮き１０３に装着可能である。なお、本実施形態でも、第１の実施形態と同様、穴調整部材２０の軸状部２１を釣り用浮き１０３の貫通穴１０４に上側から挿入してもよい。
【００３５】
以上、本考案を上述した実施形態により説明したが、本考案は上述した実施形態に限定されるものではなく、本考案の範囲内で変更等が可能であり、上述した実施形態を組み合せてもよい。
【００３６】
上述した実施形態では、穴調整部材１０、２０の材質、形状、大きさについて具体的に説明したが、上述した材質、形状、大きさに限定されるものではなく適宜、変更することができる。例えば、釣り用浮き１０３の貫通穴１０４の内径に応じて軸状部１１、２１の外径Ｄが異なる複数の種類の穴調整部材１０、２０を用意してもよい。
上述した実施形態では、穴調整部材１０がポリエチレン（ＰＥ）やポリプロピレン（ＰＰ）等の合成樹脂製である場合について説明したが、金属製であってもよく、その他の材質であってもよい。
【００３７】
上述した実施形態では、穴調整部材１０、２０のストッパ部１２、２２は略円錐台形状である場合について説明したが、この場合に限られず、少なくとも一部が軸状部１１、２１よりも径方向に突出している形状であればよい。例えば、穴調整部材１０、２０のストッパ部１２、２２は、少なくとも一部が軸状部１１、２１の外径よりも大きな外径を有する形状であってもよい。
上述した第２の実施形態の穴調整部材２０の挿通穴２３にはテーパが施されていないが、第１の実施形態の穴調整部材１０の挿通穴１３のようにテーパを施してもよい。
【符号の説明】
【００３８】
１００：釣り用仕掛け  １０３：釣り用浮き（中通し浮き）  １０４：貫通穴  １０、２０：浮き用穴調整部材（穴調整部材）  １１、２１：軸状部  １２、２２：ストッパ部  １３、２３：挿通穴  ２４：割れ部
【図１】
0003234635.tif 000003
【図２】
0003234635.tif 000004
【図３】
0003234635.tif 000005
【図４】
0003234635.tif 000006
【図５】
0003234635.tif 000007